(57)【要約】【課題】  ディスプレイ支持装置の提供。【解決手段】  ディスプレイ支持装置全体を卓上或いは壁面に固定する固定座、該固定座上に枢設されて回転可能なアーム、及びアームに枢接されてディスプレイの背板に固定される接続シートを包含し、ディスプレイをアームの回転により適宜角度に調整できる。該アームは両端に位置する第１サポートアームと第２サポートアームを包含し、該第１サポートアームと第２サポートアームの間に位置決め枠が設けられ、該位置決め枠に少なくとも一つの装飾板を固定できる位置決め部が設けられ、使用者が好みの形状或いは模様の装飾板に交換でき、商品価値が高められている。【選択図】        図１
0003139694.tif 000002
【実用新案登録請求の範囲】
【請求項１】
ディスプレイ支持装置において、
少なくとも一つのアームであって、該アームは第１サポートアームと第２サポートアーム及び該第１サポートアームと第２サポートアームの間を連接する位置決め枠を包含し、該第１サポートアームと第２サポートアームの末端に枢接部が設けられ、該位置決め枠に位置決め部が設けられて少なくとも一つの装飾板を固定できる、上記少なくとも一つのアームと、
固定座であって、全体のディスプレイ支持装置を固定するのに用いられる該第１サポートアームの枢接部に枢接される第１枢接端を具えた、上記固定座と、
接続シートであって、該第２サポートアームの枢接部に枢接される第２枢接端を具えた、上記接続シートと、
を包含することを特徴とする、ディスプレイ支持装置。
【請求項２】
請求項１記載のディスプレイ支持装置において、該アームは２つが前後に枢接され、第１のアームの第２サポートアームが該接続シートに枢接され、その別端の第１サポートアームが第２のアームの第２サポートアームに接続され、該第２のアームの第１サポートアームが該固定座に枢接されたことを特徴とする、ディスプレイ支持装置。
【請求項３】
請求項１記載のディスプレイ支持装置において、該アームの位置決め枠及び位置決め部はいずれも略環状を呈し、該位置決め枠の内径は該位置決め部の外径より大きく、該位置決め枠の内周より複数のリブが内向きに延伸されて、該位置決め部の外周に接続されたことを特徴とする、ディスプレイ支持装置。
【請求項４】
請求項３記載のディスプレイ支持装置において、該装飾板が２片とされ、この２片の該装飾板の表面は相互に対応する半円弧状を呈し、その中心位置に内向きに延伸された柱状の固定部材が設けられ、且つ２片の該装飾板の該固定部材が環状の位置決め部を通過した後に相互に挿嵌固定され、２片の該装飾板が該位置決め枠の両側で相互に結合されて球体形状を形成することを特徴とする、ディスプレイ支持装置。
【請求項５】
請求項１記載のディスプレイ支持装置において、該固定座の底部に略Ｌ形の挟持装置が設けられ、該挟持装置によりテーブルの縁を挟持して全体のディスプレイ支持装置を卓上に固定できることを特徴とする、ディスプレイ支持装置。
【請求項６】
請求項１記載のディスプレイ支持装置において、該固定座が板状とされ、ネジで該固定座が壁面に固定されることで全体のディスプレイ支持装置が壁面に固定されることを特徴とする、ディスプレイ支持装置。
【請求項７】
請求項１記載のディスプレイ支持装置において、該固定座が支持棒を具え、第１枢接端が該支持棒に設置され、且つ該支持棒の上部に電源に接続された発光体が設置されたことを特徴とする、ディスプレイ支持装置。
【考案の詳細な説明】
【技術分野】
【０００１】
本考案は一種のディスプレイ支持装置に係り、特に、薄型ディスプレイを支持でき且つ回転方式で角度を調整できるものに関する。
【背景技術】
【０００２】
近年、デスクトップコンピュータ用の液晶ディスプレイ、液晶テレビ、プラズマテレビ等の薄型ディスプレイが、薄型で外観がよく、場所をとらず、輻射が少ない等の長所のために、次第に伝統的なブラウン管ディスプレイに代わり、家庭、オフィス、更には駅やミーティングルーム等の公共の場所での不可欠の標準設備となっている。
【０００３】
前述したように、前述の薄型ディスプレイは外形が薄く、見た目がよく、場所をとらないため、取付時には使用環境の影響を比較的受けにくく、使用者は自分の好みにより、ディスプレイ支持装置でディスプレイを卓上或いは壁面に固定できる。このほか、ディスプレイ支持装置の別の作用は、ディスプレイの左右角度調整と仰角の調整が行なえ、これによりディスプレイの取付位置及び使用上、さらに多くの選択を有し得ることである。
【０００４】
市販の、ディスプレイの左右角度と仰角を調整できるディスプレイ支持装置は、ほとんどが卓上型と壁掛型の二種類に分けられる。その基本構造はいずれも、ディスプレイ支持装置を卓上或いは壁面に固定できる固定座と、該固定座に枢設されて回転可能な少なくとも一つのアーム、及び該アームに枢接されると共にディスプレイの背板を固定できる接続シートで構成されている。
【考案の開示】
【考案が解決しようとする課題】
【０００５】
上述のディスプレイ支持装置はディスプレイの左右角度を調整する時、アームが必ずしもディスプレイにより阻止されず外部に露出する状況にないため、ありきたりの設計となっており、消費者の注意をひかない。
【０００６】
カスタマイズでき、使用者の好みにより外観を変化させられ装飾性を具備して、その商品価値を高めることができるアームを設計することが、本考案の目的である。
【課題を解決するための手段】
【０００７】
本考案は一種のディスプレイ支持装置を提供し、それは、枢接の方式により少なくとも一つのアームと固定座及び接続シートが結合される。
【０００８】
本考案のディスプレイ支持装置は、
少なくとも一つのアームであって、該アームは第１サポートアーム、第２サポートアーム、及び該第１サポートアームと第２サポートアームの間を連接する位置決め枠を包含し、該第１サポートアームと第２サポートアームの末端に枢接部が設けられ、位置決め枠に位置決め部が設けられて少なくとも一つの装飾板を固定できる、上記少なくとも一つのアームと、
固定座であって、全体のディスプレイ支持装置を固定するのに用いられる該第１サポートアームの枢接部に枢接される第１枢接端を具えた、上記固定座と、
接続シートであって、該第２サポートアームの枢接部に枢接される第２枢接端を具えた、上記接続シートと、
を包含する。
【０００９】
該位置決め部の周縁がリブで該位置決め枠と接続され、該位置決め部が該装飾板の結合に供されて該装飾板を固定する。
【００１０】
該固定座の底部にテーブルの縁を挟持できる挟持装置が設けられるか、或いは該固定座が板状とされ、ネジで壁面に固定される。
【００１１】
実施時には、該装飾板は２片とされ、その表面が相互に対応する半円弧状とされ、２片の装飾板が位置決め枠の両側に結合されて球体形状を形成し、その表面に各種の模様が加工され、例えば、野球のボール、サッカーボール、ゴルフボール、アメリカンフットボールなどの態様とされ得る。
【考案の効果】
【００１２】
従来の技術と比較すると、本考案はディスプレイ支持装置が活発に角度調整でき並びに使用者の好みにより外観を変更して装飾性を具備させることができ、更には商品価値を増加でき、これは従来のディスプレイ支持装置では達成できなかった効果である。
【考案を実施するための最良の形態】
【００１３】
図１と図２は本考案の第１実施例を示す。図示される本考案のディスプレイ支持装置は、少なくとも一つのアーム１０、固定座２０、及び接続シート３０を包含する。
【００１４】
該アーム１０は第１サポートアーム１１、第２サポートアーム１２及び第１サポートアーム１１と第２サポートアーム１２の間を連接する位置決め枠１３を包含する。そのうち、第１サポートアーム１１及び第２サポートアーム１２の末端に枢接部１４が設けられ、位置決め枠１３に位置決め部１５が設けられ、該位置決め部１５に２片の装飾板４０を固定できる。
【００１５】
該固定座２０は全体のディスプレイ支持装置を卓上或いは壁面に固定するのに用いられ、図示される固定座２０は柱状を呈し、アーム１０の第１サポートアーム１１の枢接部１４に枢接される第１枢接端２１を具え、これによりアーム１０が第１サポートアーム１１の枢接部１４を軸として固定座２０に対して回転可能とされる。
【００１６】
該接続シート３０は該ディスプレイの背板に固定され、第２枢接端３１を具え、該第２枢接端３１は第２サポートアーム１２の枢接部１４に枢接され、これによりアーム１０が第２サポートアーム１２の枢接部１４を軸として、固定座２０に対して回転可能とされる。
【００１７】
図３に示されるように、前述のアーム１０は二つが前後に枢接されており、すなわち、第１のアーム１０の第２サポートアーム１２が接続シート３０に枢接され、その別端の第１サポートアーム１１が第２のアーム１０の第２サポートアーム１２に枢接され、第２のアーム１０の第１サポートアーム１１が固定座２０に枢接され、こうして全体のディスプレイ支持装置が回転角度調整可能とされるほか、２本のアーム１０の間の角度の変更により距離調整可能とされる。
【００１８】
実施時には前述のアーム１０の位置決め枠１３及び位置決め部１５がいずれも環状を呈し、且つ位置決め枠１３の内径が位置決め部１５の外径より大きくその外周を囲み、位置決め枠１３の内周に複数のリブ１６が内向きに延伸されるように設けられ、並びに位置決め枠１３の外周と接続される。図示されるリブ１６は四つが輻射配列される方式で位置決め部１５と位置決め枠１３を連結する目的を達成する。
【００１９】
図２はアーム１０と２片の装飾板４０の結合を示す。図示されるように二つの装飾板４０の表面は相互に対応する半円弧状とされ、その中心位置に内向きに延伸するように固定部材４１が設けられ、２片の装飾板４０の固定部材４１は相互に結合可能で２片の装飾板４０を組合せることができる。実施時には、位置決め部１５はほぼ環状を呈し、これにより２片の装飾板４０の固定部材４１は柱状とされ得て、環状の位置決め部１５を通過した後に、相互に挿嵌されて位置決め枠１３の両側に結合され、２片の対応する半円弧の装飾板４０が球体形状を成す。
【００２０】
図４は本考案の第２実施例を示す。図中には前述の固定座２０により全体のディスプレイ支持装置がテーブル５０に固定された状態を示す。実施時には、固定座２０の底部にさらに略Ｌ形の挟持装置２２が設けられ、並びに該挟持装置２２によりテーブル５０の縁を挟持する。これにより、固定座２０は支持棒２３を具え、前述の第１枢接端２１が該支持棒２３に設置され、且つ支持棒２３の上部の電源に接続された発光体２４が設けられ、これによりディスプレイ支持装置が照明機能を具備する。
【００２１】
図５は本考案の第３実施例を示し、前述の固定座２０が全体のディスプレイ支持装置を壁面６０に固定する状態が示される。実施時には、該固定座２０は片状とされ、ネジ２５で壁面６０に固定される。
【００２２】
このほか、図４及び図５に示されるように、前述の装飾板４０の表面には各種の図案或いは模様を設置可能で、並びに前述の２片の対応する半円弧の装飾板４０で構成される球体形状を組み合わせて、野球、サッカー、ゴルフ、アメリカンフットボール等のボール態様とすることができる。２片の相互に対応する装飾板４０は非正円形の形状とすることもでき、消費者は好みにより装飾板４０を交換して、ディスプレイ支持装置に多用な変化性を具備させることができる。
【図面の簡単な説明】
【００２３】
【図１】本考案の第１実施例の立体分解図である。
【図２】本考案の第１実施例のアームと装飾板の結合表示図である。
【図３】図１の立体組合せ図である。
【図４】本考案の第２実施例図である。
【図５】本考案の第３実施例図である。
【符号の説明】
【００２４】
１０  アーム
１１  第１サポートアーム
１２  第２サポートアーム
１３  位置決め枠
１４  枢接部
１５  位置決め部
１６  リブ
２０  固定座
２１  第１枢接端
２２  挟持装置
２３  支持棒
２４  発光体
２５  ネジ
３０  接続シート
３１  第２枢接端
４０  装飾板
４１  固定部材
５０  テーブル
６０  壁面
【図１】
0003139694.tif 000003
【図２】
0003139694.tif 000004
【図３】
0003139694.tif 000005
【図４】
0003139694.tif 000006
【図５】
0003139694.tif 000007